(57)【要約】      （修正有）【課題】記録媒体の種類が異なったとしても、所望の質感の画像を記録可能とする。【解決手段】インクジェット記録装置１には、光硬化型インクを吐出する記録ヘッド７〜１０と、記録媒体上に着弾したインクに対して光を照射する光照射部と、記録媒体の種類を認識する記録媒体認識部と、オフセット印刷による記録画像の色域に対応するように記録媒体の種類毎に設定された色域テーブルを記憶する色域テーブル記憶部と、記録媒体の各種類の温度毎のインク光沢値を表す温度光沢テーブルを記憶する温度光沢テーブル記憶部と、記録媒体の温度を調節する温度調節部４４とが備えられている。制御部２０は、認識された記録媒体の種類に対応する色域テーブルに基づいて記録ヘッドの単位面積あたりの最大吐出量を決定するとともに、認識された記録媒体の種類に対応する温度光沢テーブルを基に所定の光沢値となるように温度調節部による調整温度を制御する。【選択図】図２
2008018561.tif 000002
【特許請求の範囲】
【請求項１】
光硬化型インクを記録媒体に吐出する記録ヘッドと、
前記記録媒体上に着弾したインクに対して光を照射する光照射部と、
前記記録媒体の種類を認識する記録媒体認識部と、
オフセット印刷による記録画像の色域に対応するように前記記録媒体の種類毎に設定された色域テーブルを記憶する色域テーブル記憶部と、
前記記録媒体の各種類の温度毎のインク光沢値を表す温度光沢テーブルを記憶する温度光沢テーブル記憶部と、
前記記録媒体の温度を調節する温度調節部と、
前記記録ヘッド、前記光照射部、前記記録媒体認識部、前記色域記憶部、前記温度光沢テーブル記憶部及び前記温度調節部を制御する制御部とを備え、
前記制御部は、前記記録媒体認識部により認識された前記記録媒体の種類に対応する前記色域テーブルを前記色域記憶部から読み出して、当該色域テーブルに基づいて前記記録ヘッドの単位面積あたりの最大吐出量を決定するとともに、前記記録媒体認識部により認識された前記記録媒体の種類に対応する前記温度光沢テーブルを前記温度光沢テーブル記憶部から読み出して、当該温度光沢テーブルを基に所定の光沢値となるように前記温度調節部による調整温度を制御することを特徴とするインクジェット記録装置。
【請求項２】
請求項１記載のインクジェット記録装置において、
前記記録媒体の各種類に対する前記光照射部の照射量毎のインク光沢値を表す照射量光沢テーブルを記憶する照射量光沢テーブル記憶部を備え、
前記制御部は、前記記録媒体認識部により認識された前記記録媒体の種類に対応する前記照射量光沢テーブルを前記照射量光沢テーブル記憶部から読み出して、当該照射量光沢テーブルを基に所定の光沢値となるように前記照射部の照射量を制御することを特徴とするインクジェット記録装置。
【請求項３】
請求項１又は２記載のインクジェット記録装置において、
前記記録媒体に対するインク吐出時の環境を検出する環境検出部を備え、
前記制御部は前記環境検出部の検出結果に基づいて、前記温度調節部による調整温度を制御することを特徴とするインクジェット記録装置。
【請求項４】
請求項３記載のインクジェット記録装置において、
前記環境検出部は、前記インク吐出時の外気温及び湿度を検出することで前記環境を検出することを特徴とするインクジェット記録装置。
【請求項５】
請求項３又は４に記載のインクジェット記録装置において、
前記記録媒体の光沢を検出する光沢検出部を備え、
前記制御部は、前記光沢検出部の検出結果に基づいて、所定の光沢値となるように、前記温度調節部及び前記光照射部の少なくとも一方を制御することを特徴とするインクジェット記録装置。
【請求項６】
請求項５記載のインクジェット記録装置において、
光沢値検出用の光沢検出用テストパターンのテストパターンデータを記憶するテストパターン記憶部を備え、
前記制御部は、前記テストパターン記憶部から前記テストパターンデータを読み出して、当該テストパターンデータを基に前記記録ヘッドを制御して、前記記録媒体上に前記テストパターンを形成させてから、前記光沢検出部により検出された前記記録媒体上の前記テストパターンの光沢に基づいて、以降の画像形成による光沢が所定の光沢値となるように、前記温度調節部及び前記光照射部の少なくとも一方を制御することを特徴とするインクジェット記録装置。
【発明の詳細な説明】
【技術分野】
【０００１】
本発明は、インクジェット記録装置に係り、特に紫外線硬化型のインクにより画像を記録するインクジェット記録装置に関する。
【背景技術】
【０００２】
特別なインク受像層を持たない記録媒体に対して画像を記録できる方式として、紫外線硬化型インクを用いるＵＶインクジェット記録方式が知られている。このＵＶインクジェット記録方式であると、記録媒体上に紫外線硬化型のインクを吐出させた後に、紫外線を照射することにより、当該インクを記録媒体上に硬化、定着させて、画像を記録している（例えば特許文献１，２参照）。これであれば、特別な加工が施されていない記録媒体に対しても紫外線硬化型のインクを定着できるために、多種類の記録媒体に画像を記録することが可能とである。例えば、ＵＶインクジェット記録方式に適用できる記録媒体としては、印刷用紙、コピー紙、合成紙、各種プラスチックフィルム、金属類、木材、ガラス、布類等、紫外線硬化を阻害する化合物を含まない記録媒体が挙げられる。
【０００３】
紫外線硬化型のインクで画像を形成するにあたって、紫外線照射時の照射エネルギーを制御することで印字後のドット径の広がりを制御し、その結果画像のグロス感及びマット感等の光沢感を制御できる装置が開発されている（例えば特許文献３参照）。
また、記録媒体の温度を制御することでドット径を制御する装置も開発されている（例えば特許文献４参照）。
【特許文献１】特開平６−２００２０４号公報
【特許文献２】特許２０００−５０４７７８号公報
【特許文献３】特許２００４−１３２７号公報
【特許文献４】特許２００５−９６２７７８号公報
【発明の開示】
【発明が解決しようとする課題】
【０００４】
ここで、記録媒体の種類によってそのインク吸収性やインク親和性等の特性が異なるために、記録媒体の種類が異なるとドットの広がり具合が異なってしまって、所望の光沢を実現できない場合があった。特に、近年においてはインクジェット記録方式により形成された画像を、オフセット印刷により形成された画像と質感を合わせることが望まれているが、記録媒体が異なってしまうと上記の理由により所望の質感とならないおそれがあった。
【０００５】
本発明の課題は、記録媒体の種類が異なったとしても、所望の質感の画像を記録可能とすることである。
【課題を解決するための手段】
【０００６】
請求項１記載の発明に係るインクジェット記録装置は、
光硬化型インクを記録媒体に吐出する記録ヘッドと、
前記記録媒体上に着弾したインクに対して光を照射する光照射部と、
前記記録媒体の種類を認識する記録媒体認識部と、
オフセット印刷による記録画像の色域に対応するように前記記録媒体の種類毎に設定された色域テーブルを記憶する色域テーブル記憶部と、
前記記録媒体の各種類の温度毎のインク光沢値を表す温度光沢テーブルを記憶する温度光沢テーブル記憶部と、
前記記録媒体の温度を調節する温度調節部と、
前記記録ヘッド、前記光照射部、前記記録媒体認識部、前記色域記憶部、前記温度光沢テーブル記憶部及び前記温度調節部を制御する制御部とを備え、
前記制御部は、前記記録媒体認識部により認識された前記記録媒体の種類に対応する前記色域テーブルを前記色域記憶部から読み出して、当該色域テーブルに基づいて前記記録ヘッドの単位面積あたりの最大吐出量を決定するとともに、前記記録媒体認識部により認識された前記記録媒体の種類に対応する前記温度光沢テーブルを前記温度光沢テーブル記憶部から読み出して、当該温度光沢テーブルを基に所定の光沢値となるように前記温度調節部による調整温度を制御することを特徴としている。
【０００７】
請求項２記載の発明は、請求項１記載のインクジェット記録装置において、
前記記録媒体の各種類に対する前記光照射部の照射量毎のインク光沢値を表す照射量光沢テーブルを記憶する照射量光沢テーブル記憶部を備え、
前記制御部は、前記記録媒体認識部により認識された前記記録媒体の種類に対応する前記照射量光沢テーブルを前記照射量光沢テーブル記憶部から読み出して、当該照射量光沢テーブルを基に所定の光沢値となるように前記照射部の照射量を制御することを特徴としている。
【０００８】
請求項３記載の発明は、請求項１又は２記載のインクジェット記録装置において、
前記記録媒体に対するインク吐出時の環境を検出する環境検出部を備え、
前記制御部は前記環境検出部の検出結果に基づいて、前記温度調節部による調整温度を制御することを特徴としている。
【０００９】
請求項４記載の発明は、請求項３記載のインクジェット記録装置において、
前記環境検出部は、前記インク吐出時の外気温及び湿度を検出することで前記環境を検出することを特徴としている。
【００１０】
請求項５記載の発明は、請求項３又は４に記載のインクジェット記録装置において、
前記記録媒体の光沢を検出する光沢検出部を備え、
前記制御部は、前記光沢検出部の検出結果に基づいて、所定の光沢値となるように、前記温度調節部及び前記光照射部の少なくとも一方を制御することを特徴としている。
【００１１】
請求項６記載の発明は、請求項５記載のインクジェット記録装置において、
光沢値検出用の光沢検出用テストパターンのテストパターンデータを記憶するテストパターン記憶部を備え、
前記制御部は、前記テストパターン記憶部から前記テストパターンデータを読み出して、当該テストパターンデータを基に前記記録ヘッドを制御して、前記記録媒体上に前記テストパターンを形成させてから、前記光沢検出部により検出された前記記録媒体上の前記テストパターンの光沢に基づいて、以降の画像形成による光沢が所定の光沢値となるように、前記温度調節部及び前記光照射部の少なくとも一方を制御することを特徴としている。
【発明の効果】
【００１２】
本発明によれば、色域テーブルがオフセット印刷による画像記録の色域に対応するように記録媒体の種類毎に設定されていて、画像記録時における記録媒体の種類に対応する色域テーブルに基づいて記録ヘッドの単位面積あたりの最大吐出量が決定されるので、決定された最大吐出量により画像が記録されると、オフセット印刷での画像記録と同等な色域の画像が記録されることになる。さらに、画像記録時における記録媒体の種類に対応する温度光沢テーブルを基に所定の光沢値となるように記録媒体の温度が調整されるので、当該記録媒体上に着弾したインクの粘度は、調節された記録媒体の温度が伝導することにより記録媒体の種類毎に変動することになる。これにより、記録媒体の種類によるインクの広がりの異なりが抑制されて、所定の光沢の画像を記録することができる。つまり、オフセット印刷での画像記録と同等な色域の画像に対しても、その光沢を調整することが可能となる。このように、記録媒体の種類が異なったとしても所望の質感の画像を記録させることができるのである。
【００１３】
また、記録媒体認識部により認識された記録媒体の種類に対応する照射量光沢テーブルを基に所定の光沢値となるように照射部の照射量が制御されるので、記録媒体の種類によるインクの硬化性の異なりを抑制することができ、より所定の光沢値に近づいた画像を記録することが可能となる。
【００１４】
また、環境検出部の検出結果に基づいて、温度調節部による調整温度が制御されるので、環境の異なりによるインクの硬化性の異なりを抑制することが、一層可能となる。
【００１５】
そして、光沢検出部の検出結果に基づいて所定の光沢値となるように、温度調節部及び光照射部の少なくとも一方が制御されるので、実際に検出された光沢値を基に記録媒体の温度及び光照射部の照射量が調整されることになり、より所定の光沢に近づいた画像を記録することが可能となる。
【００１６】
また、記録媒体上に形成されたテストパターンの光沢を基にして、以降の画像形成による光沢が所定の光沢値となるように、前記温度調節部及び前記光照射部の少なくとも一方が制御されるので、テストパターンの光沢値を基に記録媒体の温度及び光照射部の照射量が調整されることになり、より所定の光沢に近づいた画像を記録することが可能となる。
【発明を実施するための最良の形態】
【００１７】
以下、本実施形態におけるインクジェット記録装置について図を参照にして説明する。図１はインクジェット記録装置の概略構成を表す斜視図である。この図１に示すように、インクジェット記録装置１には、画像の記録を行う各種の装置や部材が搭載された画像記録装置２が配設されている。画像記録装置２は、断面が多角形状を有しかつ左右方向に延在する長尺な筐体３により覆われており、筐体３の前側の一部が開口している。また筐体３の後側には、記録媒体を筐体３の内部に送り込むためのスリット状の搬入口（図示せず）が設けられている。
【００１８】
筐体３の内部には、左右方向に延在する平板状のプラテン４が配設されている。プラテン４は記録媒体を記録面の反対側の面、つまり非記録面から支持するものである。
【００１９】
なお図１では記録媒体を省略しているが、記録媒体は、筐体３の内部に配設された搬送部２５（図２参照）により、図中に矢印で示される搬送方向（副走査方向Ａ）に沿って搬送されている。具体的には、記録媒体は、筐体３の後側に設けられた搬入口から送り込まれ、プラテン４により支持された状態で筐体３の内部を後方から前方へ通過し、筐体３の外部に搬出されている。
【００２０】
プラテン４の上方には、副走査方向Ａに直交する方向（主走査方向Ｂ）に沿って延在するガイド部材５が配設されている。ガイド部材５には、キャリッジ６が支持されている。キャリッジ６は、ガイド部材５によりガイドされた状態で、プラテン４の直上の記録領域Ｒ１と、プラテン４の左側上方の非記録領域Ｒ２とを主走査方向Ｂに沿って移動自在となっている。
また、プラテン４の表面には、当該プラテン４上に支持された記録媒体の温度を調節する温度調節部４４が配設されている。
【００２１】
キャリッジ６の前側には、イエロー（Ｙ），マゼンタ（Ｍ），シアン（Ｃ），ブラック（Ｋ）の各プロセスカラーのインクを吐出する４つの記録ヘッド７〜１０が主走査方向に沿うように一列に配列されて搭載されている。各記録ヘッド７〜１０は複数のノズル（図示せず）を内部に備えている。これらノズルの下端は各記録ヘッド７〜１０の下面、つまり吐出面においてインク吐出口（図示せず）を形成しており、各ノズルはインク吐出口を介してインクを微小な液滴として吐出することができるようになっている。
【００２２】
キャリッジ６の後側には、Ｙ，Ｍ，Ｃ，Ｋの各プロセスカラーのインクを一時的に貯留する４つのサブタンク（図示せず）が配設されている。各サブタンクは、遮光性を有する４本のチューブ（図示せず）により記録ヘッド７〜１０に接続されている。そして各サブタンクに貯留されたインクが色毎に、４本のチューブを介して記録ヘッド７〜１０に供給されるようになっている。
【００２３】
キャリッジ６の前側において記録ヘッド７〜１０の左右両側には、活性エネルギ線としての紫外線を下方に向けて照射する紫外線光源（光照射部）１１，１２がそれぞれ搭載されている。具体的に、紫外線光源１１，１２としては低圧水銀ランプ、紫外線レーザ、キセノンフラッシュランプ、捕虫灯、ブラックライト、殺菌灯、冷陰極管、ＬＥＤ高圧水銀ランプ、メタルハライドランプ、無電極紫外線ランプ等が適用可能であり、これら以外の光源が適用されてもよい。
【００２４】
プラテン４の左側には、Ｙ，Ｍ，Ｃ，Ｋの各プロセスカラーのインクを貯留する４つのメインタンク２１〜２４と、記録ヘッド７〜１０のメンテナンスを行うためのメンテナンス部３０とが配設されている。
各メインタンク２１〜２４には、上記４つのサブタンクよりも大容量のインクが貯留されている。これら各メインタンク２１〜２４は、それぞれ対応するサブタンクにインクが供給できるように接続されている。
【００２５】
メンテナンス部３０は、各記録ヘッド７〜１０のノズル内のインクを吸引する４つの吸引装置３１，…と、各記録ヘッド７〜１０の吐出面に付着したインクを除去する除去装置４０とを備えている。
【００２６】
なお、非記録時においてキャリッジ６は、上記の非記録領域Ｒ２のうち、メインタンク２１〜２４及び吸引装置３１が配設された位置（以下「ホームポジション」という。）で待機するようになっている。キャリッジ６がホームポジションに移動した状態では、各記録ヘッド７〜１０の吐出面が４つのキャップ部材３２，…によりそれぞれ覆われ、各記録ヘッド７〜１０のノズルの内部及び先端部でインクが乾燥することを防止できるようになっている。
【００２７】
また、図１ではホームポジションに配設された部材が大気中に露出した状態で図示されているが、ホームポジションに配設される部材（メインタンク２１〜２４、メンテナンス部３０等）は筐体３により覆われ遮光されている。
【００２８】
上記構成を具備する画像記録装置２は、逆Ｔ字状の２本の脚部９０，９０により支持されている。各脚部９０間には画像記録装置２の自重を強固に支持するための２本の補強部材９１，９１が架け渡されており、各脚部９０の下部には２個のキャスタ９２，９２がそれぞれ配設されている。このような構成により、画像記録装置２を含むインクジェット記録装置１は、前後方向又は左右方向に移動自在となっている。
【００２９】
次に、本実施形態に用いられる「インク」について説明する。本実施形態に用いられるインクは、３０℃で１０〜５００[mpas]程度の粘度を有する高粘度インクである。また、このインクは、活性エネルギ線としての紫外線の被照射により硬化する性質を具備する光硬化型インクである。光硬化型インクの主成分として、少なくとも重合性化合物（公知の重合性化合物を含む。）と、光開始剤と、色材とを含むものである。上記光硬化型インクは、重合性化合物としてラジカル重合性化合物を含むラジカル重合系インクとカチオン重合性化合物を含むカチオン重合系インクとに大別されるが、本実施形態においては、特に湿度及び温度によって硬化反応に差異を生じるカチオン重合系の紫外線硬化インクが用いられる。本実施形態に用いられるカチオン重合系インクは、少なくともオキセタン化合物，エポキシ化合物，ビニルエーテル化合物等のカチオン重合性化合物と、光カチオン開始剤と、色材とを含む混合物である。
【００３０】
この光硬化型インクの硬化後の光沢に影響するものとして、例えば記録媒体温度、硬化時の光照射量、環境等が挙げられる。
【００３１】
記録媒体温度は、記録媒体に着弾した光硬化型インクに影響するため、当該インク粘度が変化してレベリングが変化することにより光沢が変化する。記録媒体温度が高くなると光硬化型インクのレベリングが進行して、記録媒体に対して平滑になるため光沢が増す。
【００３２】
硬化時の光照射量は、光硬化型インクが硬化時に受ける被照射量であり、この被照射量が影響するため、着弾した光硬化型インクの表面が増粘状態か若しくは硬化状態となる。増粘程度によって光硬化型インクの表面エネルギーが変化し、着弾した光硬化型インクの上に打たれた光硬化型インクのレベリング挙動が変化するため、光沢が変化する。照射量を上げることで、着弾した光硬化型インクの表面エネルギーが高くなり表面の濡れ性が向上し、着弾した光硬化型インクの上に打たれた光硬化型インクは広がりやすくなる。これにより、光硬化型インクに着弾した光硬化型インクは広がることから、光沢が増す。
【００３３】
カチオン重合系インクは、環境により硬化感度が変化する。硬化感度が変化することで、照射量が一定である場合、環境に応じて、着弾したインクの表面エネルギーが変化する。したがって、表面エネルギーが変化することで、着弾したインクの上から打たれたインクのレベリング挙動が変化するため、光沢が変化する。カチオンインクの感度は、絶対湿度が低いほど、感度が高くなる。照射量が一定である場合、絶対湿度が低いほど、インクの表面エネルギーが高く着弾したインクの表面エネルギーが高くなり表面の濡れ性が向上するため、着弾したインクの上から打たれたインクは広がりやすくなる。すなわち、表面上のインクは広がることから、光沢が増加する。
【００３４】
次に、本実施形態に用いられる「記録媒体」について説明する。
本実施形態に用いられる記録媒体としては、通常のインクジェット記録装置に適用される普通紙，再生紙，光沢紙等の各種紙，各種布地，各種不織布，樹脂，金属，ガラス等の材質からなる記録媒体が適用可能である。記録媒体の形態としては、ロール状、カットシート状、板状等が適用可能である。さらに、本実施形態に用いられる記録媒体として、樹脂により記録面を被覆した各種紙，顔料を含むフィルム，発泡フィルム等の不透明な公知の記録媒体も適用可能である。
【００３５】
図２は、本実施形態のインクジェット記録装置１の主制御構成を表すブロック図である。この図２に示すように、インクジェット記録装置１には各部を制御する制御部２０が設けられている。制御部２０には、画像を作成する例えばＰＣ等の画像作成装置３９と通信する通信部２７と、画像作成装置３９から通信部２７を介して入力された画像データを処理する画像処理部２８と、画像処理部２８により処理された画像データを記憶する画像データ記憶部２９と、各種指示が入力される入力部４６と、外気温を検出する温度センサ４１と、湿度を検出する湿度センサ４２と、各種データが記憶されている制御データ記憶部４３と、温度調節部４４と、キャリッジ６と、搬送部２５と、メンテナンス部３０と、記録ヘッド７〜１０、紫外線光源１１，１２とが電気的に接続されている。
【００３６】
入力部４６に入力される各種指示には、例えば、画像記録開始指示や、各種条件設定指示、記録媒体種類指定指示等が含まれている。つまり、入力部４６は、記録媒体の種類を認識する本発明に係る記録媒体認識部である。
また、温度センサ４１及び湿度センサ４２は、インク吐出時の外気温及び湿度を検出することで環境を検出する本発明に係る環境検出部である。
【００３７】
制御データ記憶部４３に記憶されるデータには、画像記録に用いられる記録媒体の種類毎に設定された各種テーブルが含まれている。各種テーブルには、例えば、オフセット印刷による記録画像の色域に対応するように設定された色域テーブルや、記録媒体の温度毎のインク光沢値を表す温度光沢テーブル、紫外線光源１１，１２の照射量毎のインク光沢値を表す照射量光沢テーブル、温度及び湿度毎のインクの光沢値を表す環境光沢テーブル等がある。つまり、制御データ記憶部４３は、色域テーブルを記憶する本発明に係る色域テーブル記憶部であるとともに、温度光沢テーブルを記憶する温度光沢テーブル記憶部であり、照射量光沢テーブルを記憶する本発明に係る照射量光沢テーブル記憶部である。
【００３８】
色域テーブルは、オフセット印刷による画像記録の色域に対応するように、各記録ヘッド７〜１０から吐出されるインクの単位面積当たりの最大吐出量を決定するものであり、色域テーブルに基づく補正をしない場合の最大吐出量を１００％として、各記録ヘッド７〜１０のインクの最大吐出量の補正値を表している。図３は、色域テーブルの一例を表す説明図である。この図３に示すように、記録媒体がアート紙である場合にはブラックインクの記録ヘッド１０の最大吐出量が９０％、シアンインクの記録ヘッド９の最大吐出量が９５％、マゼンタの記録ヘッド８の最大吐出量が１００％、イエローの記録ヘッド７の最大吐出量が１００％に設定されている。また、記録媒体が上質紙である場合には、ブラックインクの記録ヘッド１０の最大吐出量が４０％、シアンインクの記録ヘッド９の最大吐出量が５０％、マゼンタの記録ヘッド８の最大吐出量が３０％、イエローの記録ヘッド７の最大吐出量が４０％に設定されている。
【００３９】
また、温度光沢テーブル、照射量光沢テーブル及び環境光沢テーブルは、それぞれ個別に設定されていてもよいが、本実施形態ではこれらをまとめて１つのテーブル（総テーブル）として設定している。総テーブルは、実験やシミュレーション等によって記録媒体の種類毎にそれぞれ設定されている。記録媒体の種類毎に、湿度、外気温、記録媒体の温度及び照射量をそれぞれ異ならせながら、画像を記録しその画像の光沢を測定することで、所望の光沢となる湿度、外気温、記録媒体の温度及び照射量を決定する。ここで、光沢値の測定には、周知の光沢感測定手段を用いられる。図４に示すように、光沢感測定手段の発光部５１から照射された光を所定の入射角θにて記録媒体Ｐ上の画像に入射させて、その反射光の光量が受光部５２にて測定されるようになっている。反射光の光量と入射光の光量との比（反射光の光量／入射光の光量）が光沢値として評価される。
【００４０】
図５は、アート紙に対して各条件で画像を記録した場合の各光沢値を表している。オフセット印刷でアート紙に画像記録をした場合の光沢値（例えば５０〜６０）を目標光沢値とすると、外気温２０℃、湿度３０％の環境にあるときには記録媒体温度を３０℃、照射量を３０ｍＪｃｍ２に設定し、外気温２４℃、湿度４５％の環境にあるときには記録媒体温度を４０℃、照射量を３０ｍＪｃｍ２に設定し、外気温２７℃、湿度６０％の環境にあるときには記録媒体温度を５０℃、照射量を３０ｍＪｃｍ２に設定する。
【００４１】
図６は、上質紙に対して各条件で画像を記録した場合の各光沢値を表している。オフセット印刷で上質紙に画像記録をした場合の光沢値（例えば１０〜１５）を目標光沢値とすると、外気温２０℃、湿度３０％の環境にあるときには記録媒体温度を３０℃、照射量を３０ｍＪｃｍ２に設定し、外気温２４℃、湿度４５％の環境にあるときには記録媒体温度を４０℃、照射量を２０ｍＪｃｍ２に設定し、外気温２７℃、湿度６０％の環境にあるときには記録媒体温度を４０℃、照射量を３０ｍＪｃｍ２に設定する。
【００４２】
そして、制御部２０は、画像記録時には搬送部２５を制御して、記録媒体を副走査方向Ａに所定量だけ搬送させた後に、キャリッジ６を制御して主走査方向Ｂに往復走査させる。制御部２０は、画像データ記憶部２９中の画像データを読み出して、当該画像データに基づいて記録ヘッド７〜１０を制御し、記録媒体上にインクを吐出させる。
【００４３】
ここで、制御部２０は、入力部４６により認識された記録媒体の種類に対応する色域テーブルを制御データ記憶部４３から読み出して、当該色域テーブルに基づいて記録ヘッド７〜８の単位面積あたりの最大吐出量を決定するとともに、入力部４６により認識された記録媒体の種類及び温度センサ４１と湿度センサ４２の検出結果に対応する総テーブルを制御データ記憶部４３から読み出して、当該総テーブルを基に所定の光沢値となるように温度調節部４４による調整温度及び紫外線光源１１，１２の照射量を制御するようになっている。
【００４４】
次に、本実施形態のインクジェット記録装置１の作用について図７を参照して説明する。
入力部４６に記録媒体の種類が入力されると、制御部２０は、入力部４６により入力された記録媒体の種類を検出し（ステップＳ１）、温度センサ４１と湿度センサ４２との検出結果により環境の検出をする（ステップＳ２）。
その後、制御部２０は、検出された記録媒体の種類に対応する色域テーブルを制御データ記憶部４３から読み出して（ステップＳ３）、当該色域テーブルに基づいて記録ヘッド７〜８の単位面積あたりの最大吐出量を決定する（ステップＳ４）。
【００４５】
その後、制御部２０は、入力部４６により認識された記録媒体の種類及び温度センサ４１と湿度センサ４２の検出結果に対応する総テーブルを制御データ記憶部４３から読み出して（ステップＳ５）、当該総テーブルを基に所定の光沢値となるように温度調節部４４による調整温度及び紫外線光源１１，１２の照射量を決定する（ステップＳ６）。
【００４６】
そして、制御部２０は、決定した前記最大吐出量、記録媒体温度及び照射量を基にして、画像記録を実行する（ステップＳ７）。
【００４７】
画像記録時になると、制御部２０は搬送部２５を制御して、記録媒体を副走査方向Ａに所定量だけ搬送させた後に、キャリッジ６を制御して主走査方向Ｂに往復走査させる。制御部２０は、画像データ記憶部２９中の画像データを読み出して、当該画像データに基づいて記録ヘッド７〜１０を制御し、往復走査のいずれの移動方向に対しても記録媒体上にインクを吐出させる。そして制御部２０は、搬送部２５による記録媒体の搬送及びキャリッジ６の走査に同期させた記録ヘッド７〜１０によるインク吐出を繰り返すことで記録媒体上に画像を記録し、画像記録処理を終了する。
【００４８】
なお、制御部２０は画像記録時に所定のメンテナンスタイミングになると、メンテナンス部３０を制御して各記録ヘッド７〜１０にメンテナンス処理を施する。
【００４９】
以上のように、本実施形態によれば、色域テーブルがオフセット印刷による画像記録の色域に対応するように記録媒体の種類毎に設定されていて、画像記録時における記録媒体の種類に対応する色域テーブルに基づいて記録ヘッド７〜１０の最大吐出量が決定されるので、決定された最大吐出量により画像が記録されると、オフセット印刷での画像記録と同等な色域の画像が記録されることになる。さらに、入力部４６により認識された記録媒体の種類及び温度センサ４１と湿度センサ４２の検出結果に対応する総テーブルを基に所定の光沢値となるように温度調節部４４による調整温度及び紫外線光源１１，１２の照射量が調整されるので、記録媒体の種類によるインクの広がりの異なりが抑制されて、所定の光沢の画像を記録することができる。つまり、オフセット印刷での画像記録と同等な色域の画像に対しても、その光沢を調整することが可能となる。例えば、図８は、本実施形態のインクジェット記録装置１により記録された画像と、オフセット印刷により記録された画像との色域を比較したものである。上質紙においてもアート紙においても、色域がほぼ同等となっていることが分かる。このように、本実施形態のインクジェット記録装置であると、記録媒体の種類が異なったとしても所望の質感の画像を記録させることができるのである。
【００５０】
なお、本発明は上記実施の形態に限らず適宜変更可能であるのは勿論である。
例えば、本実施形態では、記録ヘッド７〜１０が走査するシリアルタイプのインクジェット記録装置１を例示して説明したが、本発明の構成はラインタイプのインクジェット記録装置に対しても適用可能である。
また、本実施形態では、本発明に係る記録媒体認識部として入力部４０を例示して説明したが、自動で記録媒体の種類を認識できるものであってもかまわない。
【００５１】
また、インクジェット記録装置１に記録媒体の光沢を検出する光沢検出部を設け、当該光沢検出部の検出結果に基づいて制御部２０が所定の光沢値となるように、温度調節部及び光照射部の少なくとも一方を制御するようにしてもよい。
これにより、実際に検出された光沢値を基に記録媒体の温度及び光照射部の照射量が調整されることになり、より所定の光沢に近づいた画像を記録することが可能となる。
【００５２】
さらに、インクジェット記録装置１に光沢値検出用の光沢検出用テストパターンのテストパターンデータを記憶するテストパターン記憶部を設け、制御部２０が、テストパターン記憶部からテストパターンデータを読み出して、テストパターンデータを基に記録ヘッドを制御して、記録媒体上にテストパターンを形成させてから、光沢検出部により検出された記録媒体上のテストパターンの光沢に基づいて、以降の画像形成による光沢が所定の光沢値となるように、温度調節部及び光照射部の少なくとも一方を制御するようにしてもよい。
【００５３】
具体的に図９のフローチャートを参照にしてテストパターンを用いた画像記録処理について説明する。
入力部４６に記録媒体の種類が入力されると、制御部２０は、入力部４６により入力された記録媒体の種類を検出し（ステップＳ１０１）、温度センサ４１と湿度センサ４２との検出結果により環境の検出をする（ステップＳ１０２）。
その後、制御部２０は、検出された記録媒体の種類に対応する色域テーブルを制御データ記憶部４３から読み出して（ステップＳ１０３）、当該色域テーブルに基づいて記録ヘッド７〜８の単位面積あたりの最大吐出量を決定する（ステップＳ１０４）。
【００５４】
その後、制御部２０は、入力部４６により認識された記録媒体の種類及び温度センサ４１と湿度センサ４２の検出結果に対応する総テーブルを制御データ記憶部４３から読み出して（ステップＳ１０５）、当該総テーブルを基に所定の光沢値となるように温度調節部４４による調整温度及び紫外線光源１１，１２の照射量を決定する（ステップＳ１０６）。
【００５５】
そして、制御部２０は、テストパターン記憶部からテストパターンデータを読出し、当該テストパターンデータと、決定した前記最大吐出量、記録媒体温度及び照射量とを基にして、テストパターンの画像記録を実行する（ステップＳ１０７）。
【００５６】
テストパターンが形成されると、制御部２０は光沢検出部を制御して、記録媒体上に形成されたテストパターンの光沢を検出させる（ステップＳ１０８）。
そして、制御部２０は光沢検出部の検出結果が目標とする光沢値（所定の光沢値）であるか否かを判断し（ステップＳ１０９）、一致と判断した場合（ステップＳ１０９；ＹＥＳ）にはステップＳ１１１に移行し、不一致と判断した場合（ステップＳ１０９；ＮＯ）にはステップＳ１１０に移行する。なお、この判断時においては、検出結果と目標光沢値とが完全に一致していなくとも、所定の範囲内に収まっていれば一致として判断する。
【００５７】
ステップＳ１１０では、制御部２０は、記録媒体温度又は照射量が所定量だけ変動させてこれらの値が補正されるように、温度調整部４４及び紫外線光源１１，１２の照射量を決定し、ステップＳ１０７に移行する。
【００５８】
ステップＳ１１１では、制御部２０は、決定した前記最大吐出量、記録媒体温度及び照射量を基にして、画像記録を実行する（ステップＳ１１１）。
【００５９】
これにより、テストパターンの光沢値を基に記録媒体の温度及び光照射部の照射量が調整されることになり、より所定の光沢に近づいた画像を記録することが可能となる。
【図面の簡単な説明】
【００６０】
【図１】本発明に係るインクジェット記録装置を表す斜視図である。
【図２】図１のインクジェット記録装置の主制御構成を表すブロック図である。
【図３】図１のインクジェット記録装置で用いる色域テーブルの一例を表す説明図である。
【図４】図１のインクジェット記録装置で作成された画像の光沢値の測定方法を表す説明図である。
【図５】図１のインクジェット記録装置で用いる総テーブルの作成過程の一例を表す説明図である。
【図６】図１のインクジェット記録装置で用いる総テーブルの作成過程の一例を表す説明図である。
【図７】図１のインクジェット記録装置の画像記録処理を表すフローチャートである。
【図８】図１のインクジェット記録装置で作成された画像と、オフセット印刷により作成された画像の色域を比較した結果を表す説明図である。
【図９】図１のインクジェット記録装置の画像記録処理の変形例を表すフローチャートである。
【符号の説明】
【００６１】
１      インクジェット記録装置
２      画像記録装置
３      筐体
４      プラテン
５      ガイド部材
６      キャリッジ
７〜１０  記録ヘッド
１１，１２  紫外線光源
２０      制御部
２１〜２４  メインタンク
２５      搬送部
２６      選択部
２７      通信部
２８      画像処理部
２９      画像データ記憶部
３０      メンテナンス部
３１      吸引装置
３２      キャップ部材
３５      吸引ポンプ
３９      画像作成装置
４０      除去装置
４１      温度センサ（環境検出部）
４２      湿度センサ（環境検出部）
４３      制御データ記憶部（色域テーブル記憶部、温度光沢テーブル記憶部、照射量光沢テーブル記憶部）
４４      温度調節部
４６      入力部（記録媒体認識部）
９０      脚部
９１      補強部材
９２      キャスタ 
【図１】
2008018561.tif 000003
【図２】
2008018561.tif 000004
【図３】
2008018561.tif 000005
【図４】
2008018561.tif 000006
【図５】
2008018561.tif 000007
【図６】
2008018561.tif 000008
【図７】
2008018561.tif 000009
【図８】
2008018561.tif 000010
【図９】
2008018561.tif 000011